(57)【要約】【課題】場所を選ばず故人や亡きペットを偲ぶことができるとともに、装飾効果が高い装身具を提供する。【解決手段】本考案は、多数の球状体（２，３）を数珠状に繋げた装身具（１）である。球状体（２，３）は、貴金属製球状体（２）と、非金属製球状体（３）とを含み、貴金属製球状体の少なくとも１つが遺灰を含有する遺灰含有貴金属体である。貴金属製球状体（２）を構成する貴金属は、金または銀である。【選択図】図１
0003205994.tif 000002
【実用新案登録請求の範囲】
【請求項１】
多数の球状体を数珠状に繋げた装身具であって、
前記球状体は、貴金属製球状体と、非金属製球状体とを含み、
前記貴金属製球状体の少なくとも１つが遺灰を含有する遺灰含有貴金属体である、装身具。
【請求項２】
前記貴金属製球状体を構成する貴金属は、金または銀である、請求項１に記載の装身具。
【請求項３】
前記遺灰含有貴金属体は、前記遺灰含有貴金属体以外の前記球状体よりも大きい、請求項１または２に記載の装身具。
【請求項４】
前記遺灰含有貴金属体の表面には、宝石が埋め込まれている、請求項１〜３のいずれかに記載の装身具。
【請求項５】
前記非金属製球状体は、天然石である、請求項１〜４のいずれかに記載の装身具。
【請求項６】
前記遺灰含有貴金属体には、前記遺灰に関連する情報が刻印されている、請求項１〜５のいずれかに記載の装身具。
【考案の詳細な説明】
【技術分野】
【０００１】
この考案は、装身具に関し、特に、多数の球状体を数珠状に繋げた装身具に関する。
【背景技術】
【０００２】
近年、近親者やペットの死による喪失感を軽減するために、遺灰を含有する装身具が知られている。このようなアクセサリーを開示するものとして、特開２００１−２９２１５号公報（特許文献１）、実用新案登録第３１９７５６６号公報（特許文献２）および実用新案登録第３１９５１８９号公報（特許文献３）がある。
【０００３】
特許文献１には、遺骨灰と無機質材などを混合して形成される数珠が開示されている。特許文献２には、遺灰と貴金属を混合した上で溶解させた貴金属製品が開示されている。特許文献３には、遺灰と銀粘土とを混合し、焼成することで形成されるアクセサリーが開示されている。
【先行技術文献】
【特許文献】
【０００４】
【特許文献１】特開２００１−２９２１５号公報
【特許文献２】実用新案登録第３１９７５６６号公報
【特許文献３】実用新案登録第３１９５１８９号公報
【考案の概要】
【考案が解決しようとする課題】
【０００５】
特許文献１の数珠は、すべての球体が、遺骨灰と無機質材とを混合することにより形成されている。また、特許文献２，３の指輪などの貴金属製品は、その全体が、遺灰と貴金属または銀粘土とを混合することにより形成されている。これらのアクセサリーは、身に付けることで、故人や亡きペットを身近に感じることができるものの、高級感に欠け、アクセサリーとしてアクセントを有さず、装飾性に欠ける。
【０００６】
そこで、本考案は、上記のような課題を解決するためになされたものであって、その目的は、場所を選ばず故人や亡きペットを偲ぶことができるとともに、装飾効果が高い装身具を提供することである。
【課題を解決するための手段】
【０００７】
この考案のある局面による装身具は、多数の球状体を数珠状に繋げた装身具であって、球状体は、貴金属製球状体と、非金属製球状体とを含み、貴金属製球状体の少なくとも１つが遺灰を含有する遺灰含有貴金属体である。
【０００８】
本考案に係る装身具によれば、遺灰含有貴金属体は、貴金属製であるので、高級感を出すことができる。さらに、装身具は、遺灰含有貴金属体だけでなく非金属製球状体を含んでいるため、遺灰含有貴金属体を装身具の主役（アクセント）にすることができ、装身具の装飾効果を向上させることができる。
【０００９】
なお、貴金属に遺灰を含有させたアクセサリー、および、遺灰を含有させた数珠は、従来から知られている。しかし、数珠を構成する複数の球状体すべてを遺灰含貴金属体で構成するのではなく、遺灰含有貴金属体と非金属製球状体とを組み合わせて数珠状にし、貴金属を含有している遺灰含有貴金属体を装身具の主役にすることで、故人や亡きペットを敬うとともに、遺灰含有貴金属体を装身具のアクセントにすることで、装飾効果を有する装身具は、従来技術を組み合わせたとしても、当業者が容易に想到することはできない。
【００１０】
好ましくは、貴金属製球状体を構成する貴金属は、金または銀である。
【００１１】
好ましくは、遺灰含有貴金属体は、遺灰含有貴金属体以外の球状体よりも大きい。
【００１２】
好ましくは、遺灰含有貴金属体の表面は、宝石が埋め込まれている。
【００１３】
好ましくは、非金属製球状体は、天然石である。
【００１４】
好ましくは、遺灰含有貴金属体には、遺灰に関連する情報が刻印されている。
【考案の効果】
【００１５】
本考案によれば、場所を選ばず故人や亡きペットを偲ぶことができるとともに、装飾効果が高い装身具を提供することができる。
【図面の簡単な説明】
【００１６】
【図１】本考案の実施の形態に係る装身具を示す平面図である。
【図２】遺灰含有貴金属体の拡大図である。
【図３】装身具の他の構成例を示す平面図である。
【考案を実施するための形態】
【００１７】
本考案の実施の形態について図面を参照しながら詳細に説明する。なお、図中同一または相当部分には同一符号を付してその説明は繰返さない。
【００１８】
図１，２を参照して、本実施の形態に係る装身具１について説明する。
【００１９】
本実施の形態に係る装身具１は、多数の球状体２，３を数珠状に繋げたものである。装身具１は、ブレスレットであってもよいし、数珠または念珠などであってもよい。なお、装身具１は、図示しない紐により輪状に連結されている。
【００２０】
球状体２，３は、たとえば、１つの貴金属製球状体２と、複数の非金属製球状体３とを含む。具体的には、貴金属製球状体２は、遺灰を含有する遺灰含有貴金属体である。遺灰含有貴金属体２を構成する貴金属は、たとえば、金（Ａｕ）、銀（Ａｇ）、白金（Ｐｔ）、パラジウム（Ｐｄ）などであり、その中でも金（Ａｕ）または銀（Ａｇ）であることが望ましい。高級品である金（Ａｕ）または銀（Ａｇ）に遺灰を含有させることにより、故人や亡きペットに対して敬いの気持ちを表すことができるとともに、遺灰含有貴金属体２を装身具１の主役にすることができる。
【００２１】
非金属製球状体３は、たとえば、天然石であり、具体的には、天然水晶、アメジスト、茶水晶、ルチルクゥーツ、ラピス、オニキスなどである。その中でも、非金属製球状体３は、透明感のある天然水晶であることが望ましい。装身具１を数珠状に形成しているため、故人やペットのメモリアル記念日などに、非金属製球状体３を追加したり、天然石の種類を変更したりすることができる。
【００２２】
また、遺灰含有貴金属体２は、非金属製球状体３より大きく形成されている。遺灰含有貴金属体２を物理的に大きくすることで、遺灰含有貴金属体２を目立たせることができる。この点でも、故人や亡きペットに対して敬いの気持ちを表すことができるとともに、遺灰含有貴金属体２を装身具１の主役にすることができる。また、球状体２，３の大きさが異なることにより、遺灰含有貴金属体２が、数珠状に連ねられた装身具１のアクセントとなり、装身具１の装飾効果を向上させることができる。
【００２３】
遺灰含有貴金属体２の表面は、単にルーターなどによりその表面を滑らかに磨き上げられる他、凹凸が施されていてもよい。また、遺灰含有貴金属体２の表面には、宝石が埋め込まれていてもよい。宝石には、ルビー、サファイアなどの天然色石、ダイヤモンドなどが含まれる。宝石は、遺灰含有貴金属体２よりも小さく、遺灰含有貴金属体２の表面から外に突出しないように埋め込まれていることが好ましい。これにより、装身具１は、高級感を有し、装飾効果をさらに向上させることができる。
【００２４】
図２に示すように、遺灰含有貴金属体２の表面には、遺灰に関連する情報４が刻印されていてもよい。遺灰に関する情報４とは、故人や亡きペットの名前、イニシャル、誕生日、命日、故人の好きだった言葉などであり、故人や亡きペットに関連する情報であれば、文字や数字に限定されず、図形や絵などでも選択可能である。
【００２５】
このように構成されることにより、装身具１を毎日身に付けることで、生前と同じように、常に故人や亡きペットと触れ合うことができ、ペットロスや近親者の死による精神的な苦痛を軽減することができる。また、装身具１がブレスレットである場合、アクセサリー感覚で身に付けることができ、第三者からもメモリアル商品には見えない。遺骨を粉末状にして収納するアクセサリーでは、操作を誤ると遺骨がこぼれ落ちるおそれがあり、また、アクセサリーが水に濡れると遺骨が水で湿ってしまうおそれがある。しかし、本実施の形態の遺灰含有貴金属体２は、貴金属に遺灰が含有されているため、それらの問題が生じない。
【００２６】
なお、装身具１には、複数の遺灰含有貴金属体２が備えられていてもよい。図３に示されるように、装身具１Ａは、たとえば、４つの遺灰含有貴金属体２と、複数の非金属製球状体３とを備えている。故人に関しては、１つの遺灰含有貴金属体２に１人の遺灰が含有されているため、４つの遺灰含有貴金属体２を１つの装身具１Ａに連結することで、４人の遺灰を１つの装身具１Ａにまとめることができる。さらに、それぞれの遺灰含有貴金属体２に故人の情報４を刻印することができる。これにより、複数の遺灰含有貴金属体２を連結させたとしても、どの故人の遺灰が含有されたものなのか一目で区別することができる。また、ペット関しては、同時に数匹のペットを飼育したり、ペットが亡くなると繰り返しペットを飼育する場合がある。そのため、複数のペットの遺灰含有貴金属体２を１つの装身具１Ａにまとめることができるのは、有効である。
【００２７】
なお、１つの遺灰含有貴金属体２に、複数の遺灰を含有させてもよい。この場合、複数の球状体２のうち、１つは遺灰含有貴金属体であり、残りは金（Ａｕ）または銀（Ａｇ）などの貴金属球状体で形成されている。
【００２８】
従来、故人の遺骨はお墓に納骨され、先祖代々引き継がれるものであった。しかし、核家族化などの社会変化などにより、お墓を引き継ぐことが困難な場合が増加している。１つの装身具１Ａに複数の遺灰含有貴金属体２を連結することにより、先祖代々受け継がれているお墓のように、複数の故人の遺灰を１つの装身具１Ａにまとめることが可能となる。これにより、従来のお墓のような煩わしさを伴わずに、複数の故人の遺灰を備える装身具１Ａを親から子へ、孫へと、容易に引き継ぐことができる。さらに、装身具１Ａは、数珠状であるため、近親者やペットが亡くなった場合、遺灰含有貴金属体２を増やしたり、非金属製球状体３に代えて遺灰含有貴金属体２を連結することができる。また、遺灰含有貴金属体２が複数設けられることで、遺灰含有貴金属体２がアクセントとなり、数珠状に連ねられた装身具１Ａに変化が加わるため、装身具１Ａの装飾効果をさらに向上させることができる。
【００２９】
次に、遺灰含有貴金属体２の製造方法について説明する。
【００３０】
金（Ａｕ）、銀（Ａｇ）などの貴金属粉末と遺灰を混ぜ合わせ、焼結により球状に加工して、遺灰含有貴金属体２を製造する方法がある。また、他の製造方法としては、金（Ａｕ）、銀（Ａｇ）などの貴金属粉末と、遺灰とバインダーとを混ぜ合わせ、球状にした物を電気炉で焼いて遺灰含有貴金属体２を製造する方法がある。
【００３１】
このようにして得られた遺灰含有貴金属体２と、上述した複数の非金属製球状体３とを数珠状に繋げて装身具１，１Ａを製造する。
【００３２】
なお、上記実施の形態において、貴金属製球状体２は、必ずしも遺灰を含有しなくてもよい。その場合、貴金属製球状体２は、たとえば、金（Ａｕ）または銀（Ａｇ）であることが望ましい。
【００３３】
また、上記実施の形態において、遺灰含有貴金属体２は、球状体であるとして説明したが、球状体には、俵形状、米粒形状も含まれるものとする。
【００３４】
また、本実施の形態における遺灰含有貴金属体２は、非金属製球状体３より大きく形成されているが、非金属製球状体３と同一の大きさに形成してもよいし、非金属製球状体３より小さく形成してもよい。また、非金属製球状体３の大きさは、すべて同じ大きさである必要はなく、異なる大きさのものを組み合わせてもよい。
【００３５】
以上、図面を参照してこの考案の実施形態を説明したが、この考案は、図示する実施形態のものに限定されない。図示された実施形態に対して、この考案と同一の範囲内において、あるいは均等の範囲内において、種々の修正や変形を加えることが可能である。
【符号の説明】
【００３６】
１，１Ａ  装身具、２  貴金属製球状体（遺灰含有貴金属体）、３  非金属製球状体、４  情報。
【図１】
0003205994.tif 000003
【図２】
0003205994.tif 000004
【図３】
0003205994.tif 000005